(57)【特許請求の範囲】
【請求項１】
それぞれ少なくとも１つの通信ノードを含む複数の光ネットワークのいずれかに属する任意の２つ以上の通信ノード間を接続する光ネットワーク接続装置であって、
少なくとも光ネットワークの数と同数の入力ポート及び出力ポートを有し、各ポートは少なくとも入力ポート又は出力ポートの数と同数の波長群のいずれか１つに属する光ファイバなどの光導波路上で波長分割多重可能な２以上の異なる波長の光信号を透過させる透過波長帯域を有し、一の入力ポートに入力された光信号はその波長の属する波長群に応じてそれぞれ異なる出力ポートから出力され、且つ一の出力ポートから出力される光信号はその波長の属する波長群が入力ポート毎に異なるアレイ導波路回折格子と、
複数の光ネットワークにそれぞれ対応して設けられ、該対応する光ネットワークに属する通信ノードに光ファイバなどの光導波路を介してそれぞれ接続されるとともに、アレイ導波路回折格子のそれぞれ異なる入力ポート及び出力ポートに光ファイバなどの光導波路を介して接続される複数のゲートウェイ装置とからなり、
ゲートウェイ装置は、対応する光ネットワーク内の一の通信ノードから別の光ネットワーク内の他の通信ノードへの光信号を、アレイ導波路回折格子の当該ゲートウェイ装置と接続した入力ポートへ入力される波長群のうち、アレイ導波路回折格子の前記別の光ネットワークに対応するゲートウェイ装置と接続した出力ポートへ出力される波長群に属する波長の光信号として出力する光ネットワーク接続装置において、
ゲートウェイ装置は、
アレイ導波路回折格子からの波長分割多重された光信号を波長毎に分波する波長分波装置と、
複数の波長の異なる光信号を合波してアレイ導波路回折格子へ出力する波長合波装置と、
対応する光ネットワーク内の通信ノードと接続する少なくとも１つの第１の入力端子と、対応する光ネットワーク内の通信ノードと接続する少なくとも１つの第１の出力端子と、複数の波長群のそれぞれに対応して少なくとも１つずつ設けられ、波長分波装置により分波された光信号を入力する第２の入力端子と、複数の波長群のそれぞれに対応して少なくとも１つずつ設けられ、該波長群に属する波長の光信号を波長合波装置へ出力する第２の出力端子とを有し、対応する光ネットワーク内の一の通信ノードに接続された第１の入力端子より入力された光信号を、アレイ導波路回折格子の当該ゲートウェイ装置と接続した入力ポートへ入力される波長群のうち、アレイ導波路回折格子の該一の通信ノードが通信しようとする他の通信ノードが属する別の光ネットワークに対応するゲートウェイ装置と接続した出力ポートへ出力される波長群に対応した第２の出力端子から出力するとともに、第２の入力端子より入力された別の光ネットワーク内の他の通信ノードから対応する光ネットワーク内の一の通信ノードへの光信号を、対応する光ネットワーク内の一の通信ノードと接続された第１の出力端子から出力する光入力光出力のマトリクススイッチとからなる
ことを特徴とする光ネットワーク接続装置。
【請求項２】
請求項１に記載の光ネットワーク接続装置において、
ゲートウェイ装置は、前記に加え、
対応する光ネットワーク内の通信ノードと接続する少なくとも１つの第１の入力端子と、対応する光ネットワーク内の通信ノードと接続する少なくとも１つの第１の出力端子と、複数の波長群のそれぞれに対応して少なくとも１つずつ設けられ、波長分波装置により分波された光信号を入力する第２の入力端子と、複数の波長群のそれぞれに対応して少なくとも１つずつ設けられ、該波長群に属する波長の光信号を波長合波装置へ出力する第２の出力端子とを有し、第１の入力端子より入力された光信号を、アレイ導波路回折格子の当該ゲートウェイ装置と接続した入力ポートへ入力される波長群のうち、アレイ導波路回折格子の当該光信号の転送先の光ネットワークに対応するゲートウェイ装置と接続した出力ポートへ出力される波長群に対応した第２の出力端子から出力するとともに、第２の入力端子より入力された光信号を、対応する光ネットワーク内の当該光信号の転送先の通信ノードが接続された第１の出力端子から出力する光入力光出力のルータ装置を含む
ことを特徴とする光ネットワーク接続装置。
【請求項３】
請求項１または２に記載の光ネットワーク接続装置において、
ゲートウェイ装置は、対応する光ネットワーク内の通信ノード同士を接続する機能を備えた
ことを特徴とする光ネットワーク接続装置。
【請求項４】
請求項１乃至３いずれかに記載の光ネットワーク接続装置において、
アレイ導波路回折格子は、波長周回性を有する
ことを特徴とする光ネットワーク接続装置。
【発明の詳細な説明】
【０００１】
【発明の属する技術分野】
本発明は、独立した複数の光ネットワーク間の接続、特にそれぞれ異なる光ネットワークに属する通信ノード間を直接結ぶ回線を設定することが可能なスター型の光ネットワーク接続装置に関する。
【０００２】
【従来の技術】
通信ノード間の通信を光信号を用いて行う光ネットワークでは、その内部の通信ノード間においては大容量のデータを高速に送受信することが可能である。
【０００３】
一方、それぞれ異なる光ネットワークに属する通信ノード間でデータの送受信を行う方法としては、従来、図１、図２に示すような方法が知られている。
【０００４】
即ち、図１は従来の光ネットワーク間の接続方法の一例を示すもので、光ネットワーク１−１に属する通信ノード２−１と光ネットワーク１−２に属する通信ノード２−２との間の通信は、光ネットワーク１−１，１−２，１−３，１−４にそれぞれに設けられたルータ３−１，３−２，３−３，３−４を介して行われる如くなっている。
【０００５】
また、図２は従来の光ネットワーク間の接続方法の他の例を示すもので、光ネットワーク１−１に属する通信ノード２−１と光ネットワーク１−２に属する通信ノード２−２との間の通信は、該通信ノード２−１，２−２間を直接結ぶ通信媒体４を介して行われる如くなっている。
【０００６】
【発明が解決しようとする課題】
しかしながら、図１の方法では、通信ノード２−１と通信ノード２−２との間の通信経路の帯域がルータ３−１〜３−４の処理能力によって制限されるという問題があり、また、図２の方法では、大容量の通信経路を確保することはできるが、新たな通信経路の設置が必要になる度に通信媒体を敷設する必要があり、即応性及びコストの面で問題があった。
【０００７】
本発明は、前記従来の問題点に鑑み、異なる光ネットワークに属する通信ノード間に大容量の通信経路を簡便に設けることができる光ネットワーク接続装置を提供することを目的とする。
【０００８】
【課題を解決するための手段】
上記目的を達成するため、本発明では、それぞれ少なくとも１つの通信ノードを含む複数の光ネットワークのいずれかに属する任意の２つ以上の通信ノード間を接続する光ネットワーク接続装置であって、少なくとも光ネットワークの数と同数の入力ポート及び出力ポートを有し、各ポートは少なくとも入力ポート又は出力ポートの数と同数の波長群のいずれか１つに属する光ファイバなどの光導波路上で波長分割多重可能な２以上の異なる波長の光信号を透過させる透過波長帯域を有し、一の入力ポートに入力された光信号はその波長の属する波長群に応じてそれぞれ異なる出力ポートから出力され、且つ一の出力ポートから出力される光信号はその波長の属する波長群が入力ポート毎に異なるアレイ導波路回折格子と、複数の光ネットワークにそれぞれ対応して設けられ、該対応する光ネットワークに属する通信ノードに光ファイバなどの光導波路を介してそれぞれ接続されるとともに、アレイ導波路回折格子のそれぞれ異なる入力ポート及び出力ポートに光ファイバなどの光導波路を介して接続される複数のゲートウェイ装置とからなり、ゲートウェイ装置は、対応する光ネットワーク内の一の通信ノードから別の光ネットワーク内の他の通信ノードへの光信号を、アレイ導波路回折格子の当該ゲートウェイ装置と接続した入力ポートへ入力される波長群のうち、アレイ導波路回折格子の前記別の光ネットワークに対応するゲートウェイ装置と接続した出力ポートへ出力される波長群に属する波長の光信号として出力する光ネットワーク接続装置において、ゲートウェイ装置は、アレイ導波路回折格子からの波長分割多重された光信号を波長毎に分波する波長分波装置と、複数の波長の異なる光信号を合波してアレイ導波路回折格子へ出力する波長合波装置と、対応する光ネットワーク内の通信ノードと接続する少なくとも１つの第１の入力端子と、対応する光ネットワーク内の通信ノードと接続する少なくとも１つの第１の出力端子と、複数の波長群のそれぞれに対応して少なくとも１つずつ設けられ、波長分波装置により分波された光信号を入力する第２の入力端子と、複数の波長群のそれぞれに対応して少なくとも１つずつ設けられ、該波長群に属する波長の光信号を波長合波装置へ出力する第２の出力端子とを有し、対応する光ネットワーク内の一の通信ノードに接続された第１の入力端子より入力された光信号を、アレイ導波路回折格子の当該ゲートウェイ装置と接続した入力ポートへ入力される波長群のうち、アレイ導波路回折格子の該一の通信ノードが通信しようとする他の通信ノードが属する別の光ネットワークに対応するゲートウェイ装置と接続した出力ポートへ出力される波長群に対応した第２の出力端子から出力するとともに、第２の入力端子より入力された別の光ネットワーク内の他の通信ノードから対応する光ネットワーク内の一の通信ノードへの光信号を、対応する光ネットワーク内の一の通信ノードと接続された第１の出力端子から出力する光入力光出力のマトリクススイッチとからなる光ネットワーク接続装置を提案する。
【００１０】
また、ゲートウェイ装置には、前記に加え、対応する光ネットワーク内の通信ノードと接続する少なくとも１つの第１の入力端子と、対応する光ネットワーク内の通信ノードと接続する少なくとも１つの第１の出力端子と、複数の波長群のそれぞれに対応して少なくとも１つずつ設けられ、波長分波装置により分波された光信号を入力する第２の入力端子と、複数の波長群のそれぞれに対応して少なくとも１つずつ設けられ、該波長群に属する波長の光信号を波長合波装置へ出力する第２の出力端子とを有し、第１の入力端子より入力された光信号を、アレイ導波路回折格子の当該ゲートウェイ装置と接続した入力ポートへ入力される波長群のうち、アレイ導波路回折格子の当該光信号の転送先の光ネットワークに対応するゲートウェイ装置と接続した出力ポートへ出力される波長群に対応した第２の出力端子から出力するとともに、第２の入力端子より入力された光信号を、対応する光ネットワーク内の当該光信号の転送先の通信ノードが接続された第１の出力端子から出力する光入力光出力のルータ装置を含めても良い。
【００１１】
また、ゲートウェイ装置は、対応する光ネットワーク内の通信ノード同士を接続する機能を備えていても良い。さらにまた、アレイ導波路回折格子として波長周回性を有するものを用いることもできる。
【００１２】
【発明の実施の形態】
以下、本発明を詳しく説明する。
【００１３】
＜第１の実施の形態＞
図３は本発明の光ネットワーク接続装置の第１の実施の形態を示すもので、図中、１−１，１−２，１−３，１−４は光ネットワーク、５はアレイ導波路回折格子、６−１，６−２，６−３，６−４はゲートウェイ装置である。
【００１４】
アレイ導波路回折格子５は、少なくとも光ネットワークの数と同数、ここでは４つの入力ポート及び４つの出力ポートを有し、各ポートは少なくとも入力ポート又は出力ポートの数と同数、ここでは４つの波長群のいずれか１つに属する光ファイバなどの光導波路上で波長分割多重可能な２以上の異なる波長の光信号を透過させる透過波長帯域を有し、一の入力ポートに入力された光信号はその波長の属する波長群に応じてそれぞれ異なる出力ポートから出力され、且つ一の出力ポートから出力される光信号はその波長の属する波長群が入力ポート毎に異なる如くなっている。
【００１５】
ゲートウェイ装置６−１，６−２，６−３，６−４は、光ネットワーク１−１，１−２，１−３，１−４にそれぞれ対応して設けられ、該対応する光ネットワークに属する通信ノードに光ファイバなどの光導波路を介してそれぞれ接続されるとともに、アレイ導波路回折格子５のそれぞれ異なる入力ポート及び出力ポートに光ファイバなどの光導波路を介して接続される如くなっている。
【００１６】
また、ゲートウェイ装置６−１〜６−４は、対応する光ネットワーク内の一の通信ノードから別の光ネットワーク内の他の通信ノードへの光信号を、アレイ導波路回折格子の当該ゲートウェイ装置と接続した入力ポートへ入力される波長群のうち、アレイ導波路回折格子の前記別の光ネットワークに対応するゲートウェイ装置と接続した出力ポートへ出力される波長群に属する波長の光信号として出力する機能を備えている。
【００１７】
ここで、前記アレイ導波路回折格子５の入出力特性は、ｉ番目の入力ポートとｊ番目の出力ポートとが波長群（ｉ＋ｊ−１）によって接続されるように定められており、ゲートウェイ装置６−１にはｉ＝１の入力ポート及びｊ＝１の出力ポートが接続され、ゲートウェイ装置６−２にはｉ＝２の入力ポート及びｊ＝２の出力ポートが接続され、ゲートウェイ装置６−３にはｉ＝３の入力ポート及びｊ＝３の出力ポートが接続され、ゲートウェイ装置６−４にはｉ＝４の入力ポート及びｊ＝４の出力ポートが接続される。
【００１８】
なお、ここでは４ポートのアレイ導波路回折格子を用いて、４つの光ネットワークを接続する場合を示したが、これによってアレイ導波路回折格子のポート数や接続する光ネットワークの数が制限されるものではない。
【００１９】
図４はゲートウェイ装置の詳細構成の一例を示すもので、図中、１０は波長分波装置、２０は波長合波装置、３０は光入力光出力のマトリクススイッチ、４０は光入力光出力のルータ装置である。
【００２０】
波長分波装置１０は、アレイ導波路回折格子５から光伝送路５１を介して送られてきた波長分割多重された光信号を波長毎に分波する。波長合波装置２０は、複数の波長の異なる光信号を合波してアレイ導波路回折格子５へ光伝送路５２を介して出力する。
【００２１】
マトリクススイッチ３０は、対応する光ネットワーク内の各通信ノードと信号線５３を介して接続する５つの第１の入力端子３１と、対応する光ネットワーク内の通信ノードと信号線５４を介して接続する５つの第１の出力端子３２と、複数の波長群のそれぞれに対応して設けられ、波長分波装置１０により分波された光信号を信号線５５，５６，５７を介して入力するそれぞれ４つの第２の入力端子３３，３４，３５と、複数の波長群のそれぞれに対応して設けられ、該波長群に属する波長の光信号を波長合波装置２０へ信号線５８，５９，６０を介して出力するそれぞれ４つの第２の出力端子３６，３７，３８とを有している。
【００２２】
また、マトリクススイッチ３０は、対応する光ネットワーク内の一の通信ノードに接続された第１の入力端子より入力された光信号を、アレイ導波路回折格子５の当該ゲートウェイ装置と接続した入力ポートへ入力される波長群のうち、アレイ導波路回折格子５の該一の通信ノードが通信しようとする他の通信ノードが属する別の光ネットワークに対応するゲートウェイ装置と接続した出力ポートへ出力される波長群に対応した第２の出力端子から出力するとともに、第２の入力端子より入力された別の光ネットワーク内の他の通信ノードから対応する光ネットワーク内の一の通信ノードへの光信号を、対応する光ネットワーク内の一の通信ノードと接続された第１の出力端子から出力する如くなっている。
【００２３】
ルータ装置４０は、対応する光ネットワーク内の各通信ノードと信号線６１を介して接続する５つの第１の入力端子４１と、対応する光ネットワーク内の通信ノードと信号線６２を介して接続する５つの第１の出力端子４２と、複数の波長群のそれぞれに対応して設けられ、波長分波装置１０により分波された光信号を信号線５５，５６，５７を介して入力するそれぞれ１つの第２の入力端子４３，４４，４５と、複数の波長群のそれぞれに対応して設けられ、該波長群に属する波長の光信号を波長合波装置２０へ信号線５８，５９，６０を介して出力するそれぞれ１つの第２の出力端子４６，４７，４８とを有している。
【００２４】
また、ルータ装置４０は、第１の入力端子より入力された光信号を、アレイ導波路回折格子の当該ゲートウェイ装置と接続した入力ポートへ入力される波長群のうち、アレイ導波路回折格子の当該光信号の転送先の光ネットワークに対応するゲートウェイ装置と接続した出力ポートへ出力される波長群に対応した第２の出力端子から出力するとともに、第２の入力端子より入力された光信号を、対応する光ネットワーク内の当該光信号の転送先の通信ノードが接続された第１の出力端子から出力する如くなっている。なお、光信号の転送先は当該光信号（パケット信号）に含まれるヘッダ情報によって決定される。
【００２５】
前記構成において、アレイ導波路回折格子５から光伝送路５１を介して送られてくる波長分割多重光信号には、アレイ導波路回折格子５の入出力特性によって、当該ゲートウェイ装置に対応する光ネットワークに対して他の３つの光ネットワークからそれぞれ送信されてくる３つの波長群（例えばゲートウェイ装置６−１の場合であれば、光ネットワーク１−２，１−３，１−４から送信されてくる波長群２（＝２＋１−１），３（＝３＋１−１），４（＝４＋１−１））に属する波長の光信号が含まれ、これらは波長分波装置１０によって分波され、それぞれ信号線群５５，５６，５７を通じてマトリクススイッチ３０の第２の入力端子３３，３４，３５及び必要に応じてルータ装置４０の第２の入力端子４３，４４，４５に入力される。
【００２６】
また、マトリクススイッチ３０及びルータ装置４０の第２の出力端子３６，３７，３８及びルータ装置４０の第２の出力端子４６，４７，４８からは、アレイ導波路回折格子５の入出力特性によって、他の３つの光ネットワークに対してそれぞれ送信されることになる３つの波長群（例えばゲートウェイ装置６−１の場合であれば、光ネットワーク１−２，１−３，１−４へ送信されることになる波長群２（＝１＋２−１），３（＝１＋３−１），４（＝１＋４−１））に属する波長の光信号が出力され、これらは波長合波装置２０によって波長分割多重化され、光伝送路５２を介してアレイ導波路回折格子５に送られる。
【００２７】
ここで、波長合波装置２０の入力ポートと入力すべき波長が一般に１対１で対応しているので、マトリクススイッチ３０及びルータ装置４０の第２の出力端子から出力する光信号の波長は、端子毎に接続されている前記波長合波装置２０の入力ポートに対応する固定の波長で良い。
【００２８】
なお、本例では、同一の波長群に属する波長の数が５つの場合を示しているが、これによって同一の波長群に属する波長の数が制限されるものではない。また、本例ではゲートウェイ装置内に設けるマトリクススイッチの数が１個の場合を示しているが、これによってマトリクススイッチの数が制限されるものではない。
【００２９】
また、光ネットワーク内の各通信ノードと接続するマトリクススイッチ３０の第１の入力端子及び第１の出力端子の数はそれぞれ１つ以上の必要な数とする。また、このマトリクススイッチ３０の第１の入力端子及び第１の出力端子の数は、通信ノードが本ゲートウェイ装置を介して直接通信できるノードの最大数に対応する。
【００３０】
次に、本ゲートウェイ装置における信号の流れの一例、ここでは図５に示すような、光ネットワーク１−１に属する通信ノード２−１と光ネットワーク１−２に属する通信ノード２−２との間を接続した場合のゲートウェイ装置６−１における信号の流れについて、図６を用いて説明する。
【００３１】
通信ノード２−１から送信された光信号は、ゲートウェイ装置６−１のマトリクススイッチ３０の第１の入力端子に入力される。マトリクススイッチ３０では、通信ノード２−１から送信された光信号を、光ネットワーク１−２に対応するゲートウェイ装置６−２に送られるように、適切な第２の出力端子から適切な波長の光信号として出力する。光マトリクススイッチ３０から出力された光信号は波長合波装置２０によって波長分割多重され、アレイ導波路回折格子５を経由してゲートウェイ装置６−２に送られる。
【００３２】
一方、通信ノード２−２から適切な波長で送信された光信号は、ゲートウェイ装置６−２及びアレイ導波路回折格子５を経由してゲートウェイ装置６−１に到着する。ゲートウェイ装置６−１に到着した光信号は、波長分波装置１０で分波され、マトリクススイッチ３０の第２の入力端子に入力され、前記通信ノード２−１が接続された第１の出力端子へ出力される。
【００３３】
ゲートウェイ装置６−２においても、ゲートウェイ装置６−１と同様にマトリクススイッチを設定すれば、通信ノード２−１と通信ノード２−２との間で信号の伝送ができる。
【００３４】
また、マトリクススイッチの設定によっては、本ゲートウェイ装置により同一の光ネットワークに属する通信ノード同士を接続することもできる。
【００３５】
図７は、図５に示すような、光ネットワーク１−１に属する通信ノード２−１と通信ノード２−３との間を接続した場合のゲートウェイ装置６−１における信号の流れを示すものである。
【００３６】
通信ノード２−１から送信された光信号は、ゲートウェイ装置６−１のマトリクススイッチ３０の第１の入力端子に入力され、通信ノード２−３が接続された第１の出力端子へ出力される。一方、通信ノード２−３から送信された光信号も、同様に、ゲートウェイ装置６−１のマトリクススイッチ３０の第１の入力端子に入力され、通信ノード２−１が接続された第１の出力端子へ出力される。
【００３７】
このようにして、通信ノード２−１と通信ノード２−３との間で、ゲートウェイ装置６−１を介して信号の伝送を行うことができる。
【００３８】
このように、光ネットワーク１−１〜１−４内の全ての通信ノードは、アレイ導波路回折格子５及びゲートウェイ装置６−１〜６−４を介して、ネットワーク内外の全ての通信ノードと接続することができる。この特徴を利用することで、異なる光ネットワークに属する通信ノードを結ぶ様々なネットワーク形状を実現できる。
【００３９】
例えば、光ネットワーク内の各通信ノードが、ゲートウェイ装置のマトリクススイッチの２組の第１の入力端子及び第１の出力端子とそれぞれ接続されている場合は、各通信ノードが他の全ての通信ノードのうちの任意の２つとアレイ導波路回折格子及びゲートウェイ装置を介して信号の伝送を行うことができるため、アレイ導波路回折格子及びゲートウェイ装置を介する通信ノード間の信号伝送を繰り返すことで、全光ネットワーク内から選び出した任意の通信ノード間を結ぶ、論理的なリングネットワークを作ることができる。
【００４０】
また、通信ノードとマトリクススイッチとの間の結線数をさらに増やすことにより、さらに複雑な複数の光ネットワークに跨る光ネットワークを構成することも可能である。
【００４１】
なお、ルータ装置１４は、波長分波装置１０から入力される光信号及び波長合波装置２０へ出力する光信号によって、他のネットワークに対応するゲートウェイ装置内の同様のルータ装置に接続され、ネットワーク間に跨る通信を中継する。
【００４２】
図８はゲートウェイ装置の詳細構成の他の例を示すもので、ここではマトリクススイッチを２つ設けた例を示す。即ち、図中、１０は波長分波装置、２０は波長合波装置、４０は光入力光出力のルータ装置、７０，８０は光入力光出力のマトリクススイッチである。
【００４３】
マトリクススイッチ７０は、対応する光ネットワーク内の各通信ノードと信号線５３を介して接続する５つの第１の入力端子７１と、対応する光ネットワーク内の通信ノードと信号線５４を介して接続する５つの第１の出力端子７２と、複数の波長群のそれぞれに対応して設けられ、波長分波装置１０により分波された光信号を信号線５５，５６，５７を介して入力するそれぞれ２つの第２の入力端子７３，７４，７５と、複数の波長群のそれぞれに対応して設けられ、該波長群に属する波長の光信号を波長合波装置２０へ信号線５８，５９，６０を介して出力するそれぞれ２つの第２の出力端子７６，７７，７８とを有している。
【００４４】
また、マトリクススイッチ７０は、対応する光ネットワーク内の一の通信ノードに接続された第１の入力端子より入力された光信号を、アレイ導波路回折格子５の当該ゲートウェイ装置と接続した入力ポートへ入力される波長群のうち、アレイ導波路回折格子５の該一の通信ノードが通信しようとする他の通信ノードが属する別の光ネットワークに対応するゲートウェイ装置と接続した出力ポートへ出力される波長群に対応した第２の出力端子から出力するとともに、第２の入力端子より入力された別の光ネットワーク内の他の通信ノードから対応する光ネットワーク内の一の通信ノードへの光信号を、対応する光ネットワーク内の一の通信ノードと接続された第１の出力端子から出力する如くなっている。
【００４５】
マトリクススイッチ８０は、対応する光ネットワーク内の各通信ノードと信号線６３を介して接続する５つの第１の入力端子８１と、対応する光ネットワーク内の通信ノードと信号線６４を介して接続する５つの第１の出力端子８２と、複数の波長群のそれぞれに対応して設けられ、波長分波装置１０により分波された光信号を信号線５５，５６，５７を介して入力するそれぞれ２つの第２の入力端子８３，８４，８５と、複数の波長群のそれぞれに対応して設けられ、該波長群に属する波長の光信号を波長合波装置２０へ信号線５８，５９，６０を介して出力するそれぞれ２つの第２の出力端子８６，８７，８８とを有している。
【００４６】
また、マトリクススイッチ８０は、対応する光ネットワーク内の一の通信ノードに接続された第１の入力端子より入力された光信号を、アレイ導波路回折格子５の当該ゲートウェイ装置と接続した入力ポートへ入力される波長群のうち、アレイ導波路回折格子５の該一の通信ノードが通信しようとする他の通信ノードが属する別の光ネットワークに対応するゲートウェイ装置と接続した出力ポートへ出力される波長群に対応した第２の出力端子から出力するとともに、第２の入力端子より入力された別の光ネットワーク内の他の通信ノードから対応する光ネットワーク内の一の通信ノードへの光信号を、対応する光ネットワーク内の一の通信ノードと接続された第１の出力端子から出力する如くなっている。
【００４７】
なお、その他の構成は図４の例の場合と同様である。
【００４８】
前記構成において、アレイ導波路回折格子５から光伝送路５１を介して送られてくる波長分割多重光信号には、アレイ導波路回折格子５の入出力特性によって、当該ゲートウェイ装置に対応する光ネットワークに対して他の３つの光ネットワークからそれぞれ送信されてくる３つの波長群に属する波長の光信号が含まれ、これらは波長分波装置１０によって分波され、それぞれ信号線群５５，５６，５７を通じてマトリクススイッチ７０の第２の入力端子７３，７４，７５及びマトリクススイッチ８０の第２の入力端子８３，８４，８５並びに必要に応じてルータ装置４０の第２の入力端子４３，４４，４５に入力される。
【００４９】
また、マトリクススイッチ７０及び８０並びにルータ装置４０の第２の出力端子７６，７７，７８及び８６，８７，８８並びに４６，４７，４８からは、アレイ導波路回折格子５の入出力特性によって、他の３つの光ネットワークに対してそれぞれ送信されることになる３つの波長群に属する波長の光信号が出力され、これらは波長合波装置２０によって波長分割多重化され、光伝送路５２を介してアレイ導波路回折格子５に送られる。
【００５０】
ここで、波長合波装置２０の入力ポートと入力すべき波長が一般に１対１で対応しているので、マトリクススイッチ７０及び８０並びにルータ装置４０の第２の出力端子から出力する光信号の波長は、端子毎に接続されている前記波長合波装置２０の入力ポートに対応する固定の波長で良い。
【００５１】
マトリクススイッチ７０に接続された通信ノードと、マトリクススイッチ８０に接続された通信ノードとを接続する必要がないように通信ノードを分配することにより、図４の例の場合と同様の通信ノード間接続機能を、規模の小さなマトリクススイッチを用いて実現することができる。
【００５２】
なお、信号の伝送に関わるマトリクススイッチの設定方法は、図４の例の場合と基本的に同様である。
【００５３】
なお、本例ではゲートウェイ装置内に設けるマトリクススイッチの数が２個の場合を示しているが、これによってマトリクススイッチの数が制限されるものではない。
【００５４】
＜第２の実施の形態＞
図９は本発明の光ネットワーク接続装置の第２の実施の形態を示すもので、ここでは４つの入力ポート及び４つの出力ポートを備えた波長周回性を有するアレイ導波路回折格子７を用いた例を示す。但し、これによって、波長周回性を有するアレイ導波路回折格子のポート数や接続する光ネットワークの数が制限されるものではない。
【００５５】
波長周回性を有するアレイ導波路回折格子７の入出力特性は、ｉ番目の入力ポートとｊ番目の出力ポートとが波長群｛（ｉ＋ｊ−２）をポート数（ここでは４）で割った余り＋１｝によって接続されるように定められている。なお、その他の構成・動作は第１の実施の形態の場合と同様である。
【００５６】
【発明の効果】
以上説明したように、本発明によれば、異なる光ネットワークに属する通信ノード間に大容量の通信経路を簡便に設けることができ、また、２つ以上の異なるネットワークに跨る３つ以上の通信ノード間を接続する必要がある場合には、リング状に通信ノード間を接続して大容量の通信経路を簡便に設けることができる、光ネットワーク間の接続装置を提供できる。
【図面の簡単な説明】
【図１】従来の光ネットワーク間の接続方法の一例を示す構成図
【図２】従来の光ネットワーク間の接続方法の他の例を示す構成図
【図３】本発明の光ネットワーク接続装置の第１の実施の形態を示す構成図
【図４】ゲートウェイ装置の詳細の一例を示す構成図
【図５】ゲートウェイ装置における信号の流れを説明するための通信ノードの配置を示す説明図
【図６】ゲートウェイ装置における信号の流れの一例を示す説明図
【図７】ゲートウェイ装置における信号の流れの他の例を示す説明図
【図８】ゲートウェイ装置の詳細の他の例を示す構成図
【図９】本発明の光ネットワーク接続装置の第２の実施の形態を示す構成図
【符号の説明】
１−１〜１−４：光ネットワーク、２ー１〜２−４：通信ノード、５：アレイ導波路回折格子、６−１〜６−４：ゲートウェイ装置、７：波長周回性を有するアレイ導波路回折格子、１０：波長分波装置、２０：波長合波装置、３０，７０，８０：マトリクススイッチ、４０：ルータ装置、５１，５２：光伝送路、５３〜６４：信号線群。
【図１】
0003730196.tif 000002
【図２】
0003730196.tif 000003
【図３】
0003730196.tif 000004
【図４】
0003730196.tif 000005
【図５】
0003730196.tif 000006
【図６】
0003730196.tif 000007
【図７】
0003730196.tif 000008
【図８】
0003730196.tif 000009
【図９】
0003730196.tif 000010